(57)【特許請求の範囲】
【請求項１】
扉と、扉に取付けたドアクローザとを備え、ドアクローザの背面側の凹部に空気が流通し得るように、扉とドアクローザの流体保持部との間に通気部を設けてあり、通気部は、ドアクローザの扉に隣接する部位に切欠きを設けることで形成してあり、切欠きには火災時に通気部を連通し得るカバーが取付けてあることを特徴とするドア。
【請求項２】
扉と、扉に取付けたドアクローザとを備え、ドアクローザの背面側の凹部に空気が流通し得るように、扉とドアクローザの流体保持部との間に通気部を設けてあり、通気部は、扉とドアクローザとの間に間隔保持部材を設けることで形成してあり、間隔保持部材は、上下方向のフィンを多数有する櫛型の断面形状としてあり、フィンの先端をドアクローザに向けて配置してあることを特徴とするドア。
【請求項３】
扉と、扉に取付けたドアクローザとを備え、ドアクローザの背面側の凹部に空気が流通し得るように、扉とドアクローザの流体保持部との間に通気部を設けてあり、通気部は、ドアクローザの上壁と下壁の扉に隣接する部位に切欠きを設けることで形成してあり、上壁の切欠きの面積が下壁の切欠きの面積よりも大きいことを特徴とするドア。
【請求項４】
扉と、扉に取付けたドアクローザとを備え、ドアクローザの背面側の凹部に空気が流通し得るように、扉とドアクローザの流体保持部との間に通気部を設けてあり、通気部は、ドアクローザの上壁と下壁の扉に隣接する部位に切欠きを設けることで形成してあり、上壁の切欠きは左右両端部に設けてあり、下壁の切欠きは中央付近に設けてあることを特徴とするドア。
【発明の詳細な説明】
【技術分野】
【０００１】
本発明は、ドアクローザを備えたドアに関する。
【背景技術】
【０００２】
一般にドアは、開いた扉が自動的にゆっくり閉まるようにするため、扉にドアクローザを取付けている。従来、ドアクローザは、背面を扉の表面に密着させて取付けられており、火災が発生すると扉から熱が伝わってドアクローザが高温になり、ドアクローザの内部に封入してある流体（油）が膨張し、扉の閉まる速度を調節するネジの周囲などから流体が漏れ出し、引火するおそれがあった。
【０００３】
特許文献１の図３，４には、ドアクローザとドアの間に石綿等よりなる断熱板５を設け、ドアからドアクローザに熱が伝わりにくくすると共に、ドアクローザをカバー部材３で覆うことで、ドアクローザから漏れ出した油が床に飛散したりドアに付着したりするのを防止することが記載されている。このドアは、ドアクローザの背面側の凹陥部１２が断熱板５で塞がれ、且つカバー部材３で全体が覆われているため、火災時にドアクローザが熱せられるとドアクローザに熱がこもりやすく、油が漏れだすのをかえって助長するおそれがある。
また特許文献１の図１３には、断熱板５に放熱用の貫通孔５ｄを上下方向に貫通して設けることが記載されているが、このように貫通孔５ｄを設けてもドアクローザの背面側の凹陥部１２が断熱板５で塞がれていることには変わりないので、断熱板５の放熱にはなってもドアクローザの熱を放熱することはできない。
さらに特許文献１の図２６には、断熱板を設ける代わりにドアクローザとドアとの間に隙間４７をあけることで、ドアからドアクローザに熱が伝わりにくくすることが記載されている。しかしこの隙間４７は、取付金具６の板厚よりも狭い非常に小さな隙間であって、隙間４７のほとんどが取付金具６により塞がれているため、ドアクローザが熱せられたときにその熱を放熱する効果はほとんど期待できない。
【先行技術文献】
【特許文献】
【０００４】
【特許文献１】特開２００９−１８００３６号公報
【発明の概要】
【発明が解決しようとする課題】
【０００５】
本発明は以上に述べた実情に鑑み、火災時にドアクローザの放熱を促し、ドアクローザ内の流体の過熱を抑制できるドアの提供を目的とする。
【課題を解決するための手段】
【０００６】
上記の課題を達成するために請求項１記載の発明によるドアは、扉と、扉に取付けたドアクローザとを備え、ドアクローザの背面側の凹部に空気が流通し得るように、扉とドアクローザの流体保持部との間に通気部を設けてあり、通気部は、ドアクローザの扉に隣接する部位に切欠きを設けることで形成してあり、切欠きには火災時に通気部を連通し得るカバーが取付けてあることを特徴とする
【０００７】
請求項２記載の発明によるドアは、扉と、扉に取付けたドアクローザとを備え、ドアクローザの背面側の凹部に空気が流通し得るように、扉とドアクローザの流体保持部との間に通気部を設けてあり、通気部は、扉とドアクローザとの間に間隔保持部材を設けることで形成してあり、間隔保持部材は、上下方向のフィンを多数有する櫛型の断面形状としてあり、フィンの先端をドアクローザに向けて配置してあることを特徴とする。
【０００８】
請求項３記載の発明によるドアは、扉と、扉に取付けたドアクローザとを備え、ドアクローザの背面側の凹部に空気が流通し得るように、扉とドアクローザの流体保持部との間に通気部を設けてあり、通気部は、ドアクローザの上壁と下壁の扉に隣接する部位に切欠きを設けることで形成してあり、上壁の切欠きの面積が下壁の切欠きの面積よりも大きいことを特徴とする。
【０００９】
請求項４記載の発明によるドアは、扉と、扉に取付けたドアクローザとを備え、ドアクローザの背面側の凹部に空気が流通し得るように、扉とドアクローザの流体保持部との間に通気部を設けてあり、通気部は、ドアクローザの上壁と下壁の扉に隣接する部位に切欠きを設けることで形成してあり、上壁の切欠きは左右両端部に設けてあり、下壁の切欠きは中央付近に設けてあることを特徴とする。
【発明の効果】
【００１０】
請求項１記載の発明によるドアは、ドアクローザの背面側の凹部に空気が流通し得るように、扉とドアクローザの流体保持部との間に通気部を設けてあることで、火災時にドアクローザの背面側の凹部に空気が流通してドアクローザの放熱が促されるため、火災時におけるドアクローザ内の流体の過熱を抑制できる。その結果、流体が膨張してドアクローザから漏れ出すのを防ぐことができ、防火性能が向上する。ドアクローザの扉に隣接する部位に切欠きを設けることで通気部を形成したので、ドアクローザを扉に普通に取付けるだけで通気部を形成できる。切欠きには火災時に通気部を連通し得るカバーが取付けてあることで、通常時は切欠きが目立たず、火災時にだけ通気部を形成することができる。
【００１１】
請求項２記載の発明によるドアは、ドアクローザの背面側の凹部に空気が流通し得るように、扉とドアクローザの流体保持部との間に通気部を設けてあることで、火災時にドアクローザの背面側の凹部に空気が流通してドアクローザの放熱が促されるため、火災時におけるドアクローザ内の流体の過熱を抑制できる。その結果、流体が膨張してドアクローザから漏れ出すのを防ぐことができ、防火性能が向上する。扉とドアクローザとの間に間隔保持部材を設けることで通気部を形成したので、ドアクローザに特別な細工をすることなく通気部を容易に形成できる。間隔保持部材は、上下方向のフィンを多数有する櫛型の断面形状としてあり、フィンの先端をドアクローザに向けて配置してあることで、火災時に扉からの伝熱をフィンから放熱するため、放熱効率を向上させることができ、扉からドアクローザ側への熱伝導も抑制できる。
【００１２】
請求項３記載の発明によるドアは、ドアクローザの背面側の凹部に空気が流通し得るように、扉とドアクローザの流体保持部との間に通気部を設けてあることで、火災時にドアクローザの背面側の凹部に空気が流通してドアクローザの放熱が促されるため、火災時におけるドアクローザ内の流体の過熱を抑制できる。その結果、流体が膨張してドアクローザから漏れ出すのを防ぐことができ、防火性能が向上する。ドアクローザの上壁と下壁の扉に隣接する部位に切欠きを設けることで通気部を形成したので、ドアクローザを扉に普通に取付けるだけで通気部を形成できる。上壁の切欠きの面積が下壁の切欠きの面積よりも大きいことで、火災時にドアクローザ背面の凹部への空気の流通が促進され、放熱効率を高められる。
【００１３】
請求項４記載の発明によるドアは、ドアクローザの背面側の凹部に空気が流通し得るように、扉とドアクローザの流体保持部との間に通気部を設けてあることで、火災時にドアクローザの背面側の凹部に空気が流通してドアクローザの放熱が促されるため、火災時におけるドアクローザ内の流体の過熱を抑制できる。その結果、流体が膨張してドアクローザから漏れ出すのを防ぐことができ、防火性能が向上する。ドアクローザの上壁と下壁の扉に隣接する部位に切欠きを設けることで通気部を形成したので、ドアクローザを扉に普通に取付けるだけで通気部を形成できる。上壁の切欠きは左右両端部に設けてあり、下壁の切欠きは中央付近に設けてあることで、下壁の切欠きから侵入した空気が凹部内で左右両端方向に流れるので、凹部内全域を効率的に放熱できる。
【図面の簡単な説明】
【００１４】
【図１】第１実施形態のドアの要部平面図である。
【図２】第１実施形態のドアの要部縦断面図である。
【図３】本発明のドアの第１実施形態を示す縦断面図である。
【図４】同ドアの室内側正面図である。
【図５】第１実施形態のドアの変形例を示す要部縦断面図である。
【図６】第２実施形態のドアの要部平面図である。
【図７】第２実施形態のドアの要部縦断面図である。
【図８】第２実施形態のドアの変形例を示す要部平面図である。
【図９】第２実施形態のドアの他の変形例を示す要部平面図である。
【図１０】第３実施形態のドアの要部平面図である。
【図１１】第３実施形態のドアの要部縦断面図である。
【図１２】本発明のドアの第４実施形態を示す図であって、（ａ）は同ドアに取付けられるドアクローザの平面図、（ｂ）は同ドアクローザの室内側正面図、（ｃ）は同ドアクローザの底面図である。
【図１３】図１２のＡ−Ａ断面図である。
【図１４】本発明のドアの第５実施形態を示す図であって、（ａ）は同ドアに取付けられるドアクローザの平面図、（ｂ）は同ドアクローザの室内側正面図、（ｃ）は同ドアクローザの底面図である。
【図１５】図１４のＢ−Ｂ断面図である。
【図１６】本発明のドアの第６実施形態を示す図であって、（ａ）は同ドアに取付けられるドアクローザの平面図、（ｂ）は同ドアクローザの室内側正面図、（ｃ）は同ドアクローザの底面図である。
【図１７】図１６のＣ−Ｃ断面図である。
【図１８】本発明のドアの第７実施形態を示す図であって、（ａ）は同ドアに取付けられるドアクローザの平面図、（ｂ）は同ドアクローザの室内側正面図、（ｃ）は同ドアクローザの底面図である。
【図１９】図１８のＤ−Ｄ断面図である。
【図２０】本発明のドアの第８実施形態を示す図であって、（ａ）は同ドアに取付けられるドアクローザの平面図、（ｂ）は同ドアクローザの室内側正面図、（ｃ）は同ドアクローザの底面図である。
【図２１】図２０のＥ−Ｅ断面図である。
【発明を実施するための形態】
【００１５】
以下、本発明の実施の形態を図面に基づいて説明する。図１〜４は、本発明のドアの第１実施形態を示している。このドアは、玄関や勝手口等の出入り口に設けられるものであって、図３，４に示すように、建物の躯体開口部に取付けられるドア枠１１と、ドア枠１１に蝶番１２で室外側に開くように取付けた扉１と、扉１の室内側面の上部の吊元寄りの位置に取付けたドアクローザ２とを備えている。ドアクローザ２は、垂直な回転軸１３を有し、回転軸１３に２本のアームを連結してなるリンク機構１４の一端部が連結され、リンク機構１４の他端部は上枠１５に取付けたブラケット１６に連結されている。ドアクローザ２自体の構造は従来と同じであり、詳細な説明は省略するが、流体（油）の粘性を利用したダンパーとバネを内蔵しており、扉１を開いて手を放すと、前記回転軸１３がダンパーとバネの作用によりゆっくり回転し、扉１がゆっくりと自動的に閉まる。ドアクローザ２は、一方の側面に速度調整ネジ１７ａ，１７ｂを有し（図３参照）、これを操作することで扉１の閉まる速度を調節できるようになっている。
【００１６】
ドアクローザ２は、図１に示すように、左右両側に取付用の耳部１８，１８が突出して設けてあり、左右の耳部１８，１８と扉１との間にそれぞれスペーサー６，６を挟み、扉１内部に設けた裏板１９に耳部１８，１８をネジ２０で固定して取付けてあり、ドアクローザ２の背面と扉１との間に１０ｍｍ程度の間隔２１をあけている。ドアクローザ２は、図２に示すように、流体保持部４の扉１側に、扉１側が開放した凹部３が形成されており、上記のようにドアクローザ２の耳部１８，１８と扉１間にスペーサー６，６を配置したことで、扉１とドアクローザ２の流体保持部４との間に、ドアクローザ２の凹部３に面して上下に連通した通気部５を形成している。スペーサー６は、例えばアルミ等の金属や不燃性樹脂等で形成することができる。
【００１７】
上述のように、扉１とドアクローザ２の流体保持部４との間に通気部５を設けたことで、図２中に矢印２２で示すように、火災時に上昇した空気がドアクローザ２の背面側の凹部３に流れ込み、空気がドアクローザ２の熱を奪って凹部３の外に排出される。これによりドアクローザ２の放熱が促され、火災時におけるドアクローザ２内の流体の過熱を抑制できる。その結果、流体が膨張してドアクローザ２から漏れ出すのを防ぐことができ、防火性能が向上する。また、ドアクローザ２を扉１に間隔２１をあけて取付けたことで、扉１からドアクローザ２に熱が伝わるのを防ぐ効果もある。
【００１８】
図５は、第１実施形態のドアの変形例を示している。この例では、扉１とスペーサー６との間に薄肉の低熱伝導性材料２３を挟んでいる。これにより扉１からドアクローザ２への熱伝達を抑え、ドアクローザ２の温度上昇をより一層抑えることができる。低熱伝導性材料２３としては、樹脂やゴム、エラストマー系で難燃処理を施されたもの等を用いることができる。また薄肉の低熱伝導性材料２３は、スペーサー６とドアクローザ２の間に挟み込んでもよい。
【００１９】
図６，７は、本発明のドアの第２実施形態を示している。このドアは、扉１とドアクローザ２の間に配置するスペーサー６が、アルミの押出形材で一体成形したものとなっている。スペーサー６は、両端部にドアクローザ２の耳部１８の背面に当接する取付部２４が扉１側が開放したコ字形に形成され、左右の取付部２４を連結する連結板２５が扉１に当接して設けられ、連結板２５には左右方向に間隔をあけてドアクローザ２に向けて突出する複数のフィン３７を突設し、櫛形状（ヒートシンク状）の断面形状としてある。このようなスペーサー６を介在させることで、扉１とドアクローザ２の流体保持部４との間に、ドアクローザ背面の凹部３に面して上下に連通した通気部５を形成している。
【００２０】
本実施形態のドアも、第１実施形態のものと同様に、図７中に矢印２２で示すように、火災時に上昇した空気がドアクローザ２の背面側の凹部３に流れ込み、空気がドアクローザ２の熱を奪って凹部３の外に排出されることでドアクローザ２の放熱が促され、火災時におけるドアクローザ２内の流体の過熱を抑制し、ドアクローザ２から流体が漏れ出すのを防止できる。スペーサー６を多数のフィン３７を有する櫛形状としたことで、扉１から伝わってきた熱がフィン３７より放熱されるため、放熱効率を向上させることができ、扉１からドアクローザ２側への熱伝導も抑制できる。
【００２１】
図８は、第２実施形態のドアの変形例を示している。この例では、スペーサー６を扉１内部の裏板１９にネジ２６で固定し、ドアクローザ取付用のネジ２０をスペーサー６の取付部２４に捩じ込んでドアクローザ２を固定している。このように、スペーサー６を扉１に先に固定してからスペーサー６の取付部２４にドアクローザ２を固定することで、ドアクローザ２の取付作業が容易になる。
【００２２】
図９は、第２実施形態のドアの他の変形例を示している。スペーサー６は、連結板２５にフィン３７を有しない形状としている。このスペーサー６は、スチール材を曲げ加工して製作することができる。本実施形態のドアも、ドアクローザ背面の凹部３に左右方向の全域から空気が流通するため、放熱性能が高い。また、図６，８に示したものも同様であるが、スペーサー６の両端部の取付部２４が連結板２５で連結されており、連結板２５を扉１にネジ止めすることで、ドアクローザ２を扉１から離隔させても、ドアクローザ２を強固に固定できる。さらにスペーサー６の取付部６を扉１側が開口したコ字形としたことで、扉１からドアクローザ２に熱が伝わるのを抑えられると共に、取付部２４からも放熱を促進できる。取付部２４の開口部３８は、少なくとも下側を樹脂等で形成したキャップで塞ぐことで、意匠性を向上させられる。
【００２３】
以上に説明した第１・第２実施形態のドアについては、スペーサー６を介在させてドアクローザ２を扉１から離隔して取付ければ防火仕様のドアとなり、非防火仕様のドアではスペーサー６を使用しないでドアクローザ２を扉１に当接して取付ければよい。すなわち、防火仕様のドアと非防火仕様のドアとでドアクローザ２を兼用できる。
【００２４】
図１０，１１は、本発明のドアの第３実施形態を示している。ドアクローザ２は、耳部１８を有しない長方形の箱型となっており、取付金具７を介して扉１から１０ｍｍ程度浮かせて取付けている。取付金具７は、扉１内に設けた裏板１９にネジ２７で固定され、両端部にドアクローザ２側に向けて突出する突片２８ａ，２８ｂが長めに形成してある。ドアクローザ２は、取付金具７の一方の突片２８ａをドアクローザ背面の凹部３に差し入れて凹部３に突設した突起２９に係合し、他方の突片２８ｂをドアクローザ背面の凹部３に差し入れて側方からネジ３０で固定することで取付けている。このような取付金具７を介在させることで、扉１とドアクローザ２の流体保持部４との間に、ドアクローザ背面の凹部３に面して上下に連通した通気部５を形成している。
【００２５】
本実施形態のドアも、第１・第２実施形態のものと同様に、図１１中に矢印２２で示すように、火災時に上昇した空気がドアクローザ２の背面側の凹部３に流れ込み、空気がドアクローザ２の熱を奪って凹部３の外に排出されることでドアクローザ２の放熱が促され、火災時におけるドアクローザ２内の流体の過熱を抑制し、ドアクローザ２から流体が漏れ出すのを防止できる。ドアクローザ２を扉１から浮かせて取付けたことで、扉１からドアクローザ２に熱が伝わるのを防止できる。
【００２６】
上述の第３実施形態のドアについては、取付金具７をその両端の突片２８ａ，２８ｂが長いもの（図１０のもの）と突片２８ａ，２８ｂが短いものの２種類準備しておき、突片２８ａ，２８ｂが長い取付金具７を使用してドアクローザ２を扉１から離隔して取付ければ防火仕様のドアとなり、突片２８ａ，２８ｂが短い取付金具７を使用してドアクローザ２を扉１に当接して取付ければ非防火仕様のドアにできる。すなわち、防火仕様のドアと非防火仕様のドアとでドアクローザ２を兼用できる。
【００２７】
図１２，１３は、本発明のドアの第４実施形態を示している。ドアクローザ２は、図１３に示すように、スチール製の取付金具３１を介して扉１の室内側面に当接して取付けてあり、ドアクローザ２の上横壁３２と下横壁３３とに、図１２（ａ），（ｃ）に示すように、扉１に隣接してドアクローザ２のほぼ横幅一杯に切欠き８ａ，８ｂが形成され、切欠き８ａ，８ｂにはカバー３４ａ，３４ｂが取付けてある。上横壁３２に取付けたカバー３４ａには、左右の両端部に切欠き３５ａ，３５ｂが形成され、下横壁３３に取付けたカバー３４ｂには中央部に切欠き３５ｃが形成してあり、これらのカバーの切欠き３５ａ，３５ｂ，３５ｃによって、扉１とドアクローザ２の流体保持部４との間に、ドアクローザ背面の凹部３に面して上下に連通した通気部５を形成している。
【００２８】
本実施形態のドアも、第１〜第３実施形態のものと同様に、図１２，１３中に矢印２２で示すように、火災時に上昇した空気が下横壁３３のカバー３４ｂの切欠き３５ｃよりドアクローザ２の背面側の凹部３に流れ込み、空気がドアクローザ２の熱を奪って上横壁３２のカバー３４ａの切欠き３５ａ，３５ｂより凹部３の外に排出されることでドアクローザ２の放熱が促され、火災時におけるドアクローザ２内の流体の過熱を抑制し、ドアクローザ２から流体が漏れ出すのを防止できる。下横壁３３のカバー３４ｂには中央部に切欠き３５ｃが形成され、上横壁３２のカバー３４ａには左右両端部に切欠き３５ａ，３５ｂが形成されていることで、図１２（ｂ）に示すように、下横壁３３の中央から侵入した空気２２が凹部３内で両端方向に略水平に流れ、上横壁３２の両端から排出されるため、凹部３内全域を効率的に放熱できる。また、下横壁３３のカバー３４ｂの切欠き３５ｃの面積よりも上横壁３２のカバー３４ａの切欠き３５ａ，３５ｂの面積が広いことで、凹部３への空気の流通が促進され、放熱効率が高められる。上横壁３２と下横壁３３の切欠き８ａ，８ｂにカバー３４ａ，３４ｂが取付けてあることで、切欠き８ａ，８ｂが目立たず意匠性がよい。
【００２９】
扉１の開き勝手が左右逆の場合は、速度調整ネジ１７ａ，１７ｂを操作しやすい方に向けるためにドアクローザ２を上下反転して扉１に取付けることになるが、本ドアクローザ２には上横壁３２と下横壁３３に切欠き８ａ，８ｂが同一の形状で形成してあるため、上下のカバー３４ａ，３４ｂを付け替えるだけで開き勝手が左右どちらにも対応できる。
【００３０】
上横壁３２と下横壁３３の切欠き８ａ，８ｂにカバー３４ａ，３４ｂを取付けないで、切欠き８ａ，８ｂをむき出しの状態とすることもできる。その場合には、ドアクローザ２の横幅全体から背面の凹部３に空気が流通するため、放熱効果はより一層高まる。
またカバー３４ａ，３４ｂは、火災による熱で容易に溶融又は落下するものとすることができる。この場合には、平常時にはカバー３４ａ，３４ｂによって切欠き８ａ，８ｂが目立たず、火災時にはカバー３４ａ，３４ｂが溶融又は落下して切欠き８ａ，８ｂが開放し、高い放熱効果が得られる。
また、カバー３４ａ，３４ｂを取付ける代わりに、火災時の上昇気流により開く弁を設けても、火災時に溶融又は落下するカバーを取付けた場合と同じ効果が得られる。
これらの点は、後述する第５〜第８実施形態についても同様である。
【００３１】
図１４，１５は、本発明のドアの第５実施形態を示している。ドアクローザ２は、図１４に示すように、上横壁３２には扉１に隣接して左右両端部と中央部の３箇所に切欠き８ｃ，８ｄ，８ｅが形成され、下横壁３３にも上横壁３２と同じように３箇所に切欠き８ｆ，８ｇ，８ｈが形成してある。上横壁３２の３箇所の切欠き８ｃ，８ｄ，８ｅのうち、中央部の切欠き８ｄはカバー３４ｃを取付けて塞がれており、下横壁３３の３箇所の切欠き８ｆ，８ｇ，８ｈのうち、両端部の切欠き８ｆ，８ｈはカバー３４ｄ，３４ｅを取付けて塞がれており、残存する上横壁の２箇所の切欠き８ｃ，８ｅと下横壁３３の１箇所の切欠き８ｇによって、扉１とドアクローザ２の流体保持部４との間に、ドアクローザ背面の凹部３に面して上下に連通した通気部５を形成している。なお、図１４中のハッチング部はカバーの取付箇所を示す。
【００３２】
本実施形態のドアも、第４実施形態と同様に、図１４，１５中に矢印２２で示すように、火災時に上昇した空気が下横壁３３の切欠き８ｇよりドアクローザ２の背面側の凹部３に流れ込み、空気がドアクローザ２の熱を奪って上横壁３２の切欠き８ｃ，８ｅより凹部３の外に排出されることでドアクローザ２の放熱が促され、火災時におけるドアクローザ２内の流体の過熱を抑制し、ドアクローザ２から流体が漏れ出すのを防止できる。下横壁３３には中央部の切欠き８ｇが開放し、上横壁３２には左右両端部の切欠き８ｃ，８ｅが開放していることで、図１４（ｂ）に示すように、下横壁３３の中央から侵入した空気２２が凹部３内で両端方向に略水平に流れ、上横壁３２の両端から排出されるため、凹部３内全域を効率的に放熱できる。また、下横壁３３の開放した切欠き８ｇの面積よりも上横壁３２の開放した切欠き８ｃ，８ｅの面積が広いことで、凹部３への空気の流通が促進され、放熱効率が高められる。下横壁３３は中央の切欠き８ｇだけが開口し、両端部の切欠き８ｆ，８ｈはカバー３４ｄ，３４ｅで塞がれているため、意匠性がよい。
さらに、上横壁３２と下横壁３３とに切欠き８ｃ，８ｄ，８ｅ，８ｆ，８ｇ，８ｈが同じ位置に設けてあるので、ドアクローザ２を上下反転し、カバー３４ｃ，３４ｄ，３４ｅの取付位置を変えることにより、扉１の開き勝手が左右どちらにも対応できる。
【００３３】
図１６，１７は、本発明のドアの第６実施形態を示している。ドアクローザ２は、図１６に示すように、上横壁３２には扉１に隣接して左右方向の略全域にわたって切欠き８ｉが形成され、下横壁３３には扉１に隣接して左右両端部に切欠き８ｊ，８ｋが形成してあり、これらの上横壁３２と下横壁３３の切欠き８ｉ，８ｊ，８ｋによって、扉１とドアクローザ２の流体保持部４との間に、ドアクローザ背面の凹部３に面して上下に連通した通気部５を形成している。
【００３４】
本実施形態によれば、第４・第５実施形態と同様に、図１６，１７中に矢印２２で示すように、火災時に上昇した空気が下横壁３３の切欠き８ｊ，８ｋよりドアクローザ２の背面側の凹部３に流れ込み、空気がドアクローザ２の熱を奪って上横壁３２の切欠き８ｉより凹部３の外に排出されることでドアクローザ２の放熱が促され、火災時におけるドアクローザ２内の流体の過熱を抑制し、ドアクローザ２から流体が漏れ出すのを防止できる。下横壁３３の切欠き８ｊ，８ｋの面積よりも上横壁３２の切欠き８ｉの面積が広いことで、ドアクローザ背面の凹部３への空気の流通が促進され、しかも上横壁３２には左右方向の略全域にわたって切欠き８ｉが形成してあることで、凹部３内の全域から放熱できるため、放熱性能が高い。また、下横壁３３には切欠き８ｊ，８ｋを左右両端部に設けたので、切欠き８ｊ，８ｋが目立たず意匠性も良い。
【００３５】
図１８，１９は、本発明のドアの第７実施形態を示している。ドアクローザ２は、左右両側に取付用の耳部１８が突設され、背面を扉１の室内側面に当接して耳部１８をネジ２０で扉内部の裏板（図示省略）に固定して取付けている。ドアクローザ背面の凹部３は、回転軸１３のまわりの膨らみ３６によって左右に分割されている。ドアクローザ２の上横壁３２には、回転軸１３の両側の２箇所に扉１に隣接して切欠き８ｌ，８ｍが形成され、下横壁３３にも同じように回転軸１３の両側に切欠き８ｎ，８ｏが扉１に隣接して形成してある。上横壁３２の切欠き８ｌ，８ｍにはカバー３４ｆ，３４ｇが取付けられ、カバー３４ｆ，３４ｇには左右方向の端部寄りの位置に切欠き３５ｄ，３５ｅが扉１に隣接して形成してある。下横壁３３の切欠き８ｎ，８ｏにもカバー３４ｈ，３４ｉが取付けてあって、カバー３４ｈ，３４ｉには回転軸１３に近接する左右方向中央寄りの位置に切欠き３５ｆ，３５ｇが扉１に隣接して形成してある。そして、上横壁３２のカバー３４ｆ，３４ｇの切欠き３５ｄ，３５ｅと下横壁３３のカバー３４ｈ，３４ｉの切欠き３５ｆ，３５ｇとによって、扉１とドアクローザ２の流体保持部４との間に、ドアクローザ背面の凹部３に面して上下に連通した通気部５を形成している。
【００３６】
本実施形態によれば、ドアクローザ背面の凹部３が左右に分割されている場合でも、図１８，１９中に矢印２２で示すように、それぞれの凹部３にカバー３４ｆ，３４ｇ，３４ｈ，３４ｉの切欠き３５ｄ，３５ｅ，３５ｆ，３５ｇを通じて空気が流通するため、これまでに説明した実施形態のものと同様に火災時にドアクローザ２の放熱を促し、ドアクローザ２内の流体の過熱を抑制して、ドアクローザ２から流体が漏れるのを防止できる。下横壁３３のカバー３４ｈ，３４ｉには切欠き３５ｆ，３５ｇが左右方向の中央寄りに形成してあり、上横壁３２のカバー３４ｆ，３４ｇには左右方向の端部寄りに切欠き３５ｄ，３５ｅが形成してあることで、図１８（ｂ）に示すように、下横壁３３の中央寄りから侵入した空気２２が凹部３内で両端方向に略水平に流れ、上横壁３２の両端から排出されるため、凹部３内全域を効率的に放熱できる。上横壁３２と下横壁３３の切欠き８ｌ，８ｍ，８ｎ，８ｏにカバー３４ｆ，３４ｇ，３４ｈ，３４ｉが取付けてあることで、切欠きによる意匠性の低下を最小限に抑えられる。
また、ドアクローザ２には上横壁３２と下横壁３３に切欠き８ｌ，８ｍ，８ｎ，８ｏが同一の形状で形成してあるため、ドアクローザ２を上下反転し、上下のカバー３４ｆ，３４ｇ，３４ｈ，３４ｉを付け替えるだけで開き勝手が左右どちらにも対応できる。
【００３７】
図２０，２１は、本発明のドアの第８実施形態を示している。ドアクローザ２は、第７実施形態と同様に、左右両側に取付用の耳部１８が突設され、背面を扉１の室内側面に当接して耳部１８をネジ２０で扉１内部の裏板（図示省略）に固定して取付けており、ドアクローザ背面の凹部３は、回転軸１３のまわりの膨らみ３６によって左右に分割されている。ドアクローザ２の上横壁３２には、左右方向の両端部寄りの２箇所と回転軸１３の両側の２箇所の計４箇所に切欠き８ｐ，８ｑ，８ｒ，８ｓが扉１に隣接して形成してあり、下横壁３３にも同じように４箇所に切欠き８ｔ，８ｕ，８ｖ，８ｗが形成してある。上横壁３２の４箇所の切欠き８ｐ，８ｑ，８ｒ，８ｓのうち、中央寄りの２箇所の切欠き８ｑ，８ｒはカバー３４ｊ，３４ｋを取付けて塞がれており、下横壁３３の４箇所の切欠き８ｔ，８ｕ，８ｖ，８ｗのうち、両端部寄りの２箇所の切欠き８ｔ，８ｗはカバー３４ｌ，３４ｍを取付けて塞がれており、残存する上横壁３２の２箇所の切欠き８ｐ，８ｓと下横壁３３の２箇所の切欠き８ｕ，８ｖによって、扉１とドアクローザ２の流体保持部４との間に、ドアクローザ背面の凹部３に面して上下に連通した通気部５を形成している。
【００３８】
本実施形態のドアも、第７実施形態と同様に、ドアクローザ背面の凹部３が左右に分割されている場合でも、図２０，２１中に矢印２２で示すように、それぞれの凹部３に下横壁３３と上横壁３２の切欠き８ｕ，８ｖ，８ｐ，８ｓを通じて空気が流通するため、これまでに説明した実施形態のものと同様に火災時にドアクローザ２の放熱を促し、ドアクローザ２内の流体の過熱を抑制して、ドアクローザ２から流体が漏れるのを防止できる。下横壁３３には左右方向の中央寄りの切欠き８ｕ，８ｖが開口し、上横壁３２には左右方向の端部寄りの切欠き８ｐ，８ｓが開口していることで、図２０（ｂ）に示すように、下横壁３３の中央寄りから侵入した空気２２が凹部３内で両端方向に略水平に流れ、上横壁３２の両端から排出されるため、凹部３内全域を効率的に放熱できる。上横壁３２と下横壁３３の切欠き８ｑ，８ｒ，８ｔ，８ｗにカバー３４ｊ，３４ｋ，３４ｌ，３４ｍが取付けてあることで、切欠きによる意匠性の低下を最小限に抑えられる。
また、ドアクローザ２には上横壁３２と下横壁３３に切欠き８ｐ，８ｑ，８ｒ，８ｓ，８ｔ，８ｕ，８ｖ，８ｗが同じ位置に形成してあるため、ドアクローザ２を上下反転し、カバー３４ｊ，３４ｋ，３４ｌ，３４ｍの取付位置を変えることにより、開き勝手が左右どちらにも対応できる。
【００３９】
以上に述べたように本発明のドアは、ドアクローザ２の背面側の凹部３に空気が流通し得るように、扉１とドアクローザ２の流体保持部４との間に通気部５を設けたことで、火災時にドアクローザ２の背面側の凹部３に空気が流通してドアクローザ２の放熱が促されるため、火災時におけるドアクローザ２内の流体の過熱を抑制できる。その結果、流体が膨張してドアクローザ２から漏れ出すのを防ぐことができ、防火性能が向上する。
ドアクローザ２をスペーサー６や取付金具７を介して扉１と間隔２１をあけて取付けることで通気部５を形成した第１〜第３実施形態によれば、ドアクローザ２に特別な細工をすることなく通気部５を容易に形成できる。また、扉１からドアクローザ２に熱が伝わるのを防止できる。さらに、防火仕様のドアと非防火仕様のドアとでドアクローザ２を兼用できる。
ドアクローザ２の上横壁３２と下横壁３３に切欠き８ａ，８ｂ，…，８ｗ、切欠き３５ａ，３５ｂ，…，３５ｇを形成することで通気部５を形成した第４〜第８実施形態によれば、ドアクローザ２を扉１の室内側面に当接させて普通に取付けるだけで通気部５を形成できる。
【００４０】
本発明は以上に述べた実施形態に限定されない。間隔保持部材（スペーサー６、取付金具７）の材質や形状は、適宜変更することができる。ドアクローザ２の上横壁３２と下横壁３３の切欠き８ａ，８ｂ，…，８ｗ、切欠き３５ａ，３５ｂ，…，３５ｇの位置、大きさは、適宜変更することができる。例えば、ドアクローザ２の上横壁３２と下横壁３３に、回転軸１３に近い左右方向の中央付近にだけ切欠きを形成してもよい。回転軸１３の周辺は特に流体が漏れやすいが、このように上横壁３２と下横壁３３の中央付近に切欠きが設けてあれば、回転軸１３の周辺から効率良く放熱し、流体の漏れを抑えられる。また、実施形態のものは上横壁３２と下横壁３３の両方に切欠きを設けていたが、上横壁３２だけに切欠きを設けてもよく、その場合でもドアクローザ背面の凹部３内の熱気が上横壁３２の切欠きを通じて凹部３の外に排出され、それに伴って上横壁３２の切欠きより凹部３内に空気が流入することで、ドアクローザ背面の凹部３に空気が流通し、放熱効果が得られる。なお、上横壁３２のみに切欠きを設ける場合、その切欠きは少なくともドアクローザの横幅の半分以上の範囲に設けてあることが好ましい。ドアクローザ２自体の構造は任意である。
【符号の説明】
【００４１】
１  扉
２  ドアクローザ
３  凹部
４  流体保持部
５  通気部
６  スペーサー（間隔保持部材）
７  取付金具（間隔保持部材）
８ａ，８ｂ，８ｃ，８ｄ，８ｅ，８ｆ，８ｇ，８ｈ，８ｉ，８ｊ，８ｋ，８ｌ，８ｍ，８ｎ，８ｏ，８ｐ，８ｑ，８ｒ，８ｓ，８ｔ，８ｕ，８ｖ，８ｗ  切欠き
３５ａ，３５ｂ，３５ｃ，３５ｄ，３５ｅ，３５ｆ，３５ｇ  カバーの切欠き（切欠き）
【図１】
0005963300.tif 000002
【図２】
0005963300.tif 000003
【図３】
0005963300.tif 000004
【図４】
0005963300.tif 000005
【図５】
0005963300.tif 000006
【図６】
0005963300.tif 000007
【図７】
0005963300.tif 000008
【図８】
0005963300.tif 000009
【図９】
0005963300.tif 000010
【図１０】
0005963300.tif 000011
【図１１】
0005963300.tif 000012
【図１２】
0005963300.tif 000013
【図１３】
0005963300.tif 000014
【図１４】
0005963300.tif 000015
【図１５】
0005963300.tif 000016
【図１６】
0005963300.tif 000017
【図１７】
0005963300.tif 000018
【図１８】
0005963300.tif 000019
【図１９】
0005963300.tif 000020
【図２０】
0005963300.tif 000021
【図２１】
0005963300.tif 000022